(57)【要約】【課題】複数の施設の各々の施設内の人に係る情報をより簡単に確認することができるようにする。【解決手段】表示システム１０は、情報端末の表示部に情報を表示するシステムであり、サーバ１を備えている。表示システム１０が備えるサーバ１は、表示制御部１５を備える。表示制御部１５は、複数の施設のそれぞれについて、当該施設の情報に基づいて得られる当該施設内の人の状態の度合を表す状態レベルを情報端末の表示部に表示する。【選択図】図１
2018055292.tif 000002
【特許請求の範囲】
【請求項１】
情報端末の表示部に情報を表示する表示方法であって、
複数の施設のそれぞれについて、当該施設の情報に基づいて得られる当該施設内の人の状態の度合を表す状態レベルを前記表示部に表示する表示ステップを
含む表示方法。
【請求項２】
前記状態の度合とは、前記施設内の人に異常が発生している可能性の有無、または前記異常の度合である
請求項１に記載の表示方法。
【請求項３】
前記状態レベルは、前記複数の施設のうち当該状態レベルに対応する施設内の人の状態に応じて表示態様が異なる
請求項１または２に記載の表示方法。
【請求項４】
前記表示ステップは、さらに、
前記状態レベルに、前記複数の施設のうち当該状態レベルに対応する施設に関連する関連情報を対応付けて前記表示部に表示する
請求項１〜３のいずれか一項に記載の表示方法。
【請求項５】
前記表示ステップは、
前記複数の施設に対して取得されたすべての前記状態レベルが前記表示部の表示領域内に収まるように、すべての前記状態レベルを前記表示部に表示する
請求項１〜４のいずれか一項に記載の表示方法。
【請求項６】
前記表示ステップは、
前記複数の施設に対して取得されたすべての前記状態レベルのうち、異常が発生している可能性があることを表す状態レベルすべてを少なくとも前記表示部に表示する
請求項１〜４のいずれか一項に記載の表示方法。
【請求項７】
前記表示ステップは、
前記複数の施設に対して取得されたすべての前記状態レベルのうち異常が発生している可能性があることを示す状態レベルである異常状態レベルが存在する場合、前記複数の施設のうち前記異常状態レベルに対応する施設に関する情報を表示部に表示する
請求項１〜４のいずれか一項に記載の表示方法。
【請求項８】
前記状態レベルで表される状態に対する対処を行うか否かを確認する確認ステップを、さらに含む
請求項１〜７のいずれか一項に記載の表示方法。
【請求項９】
前記確認ステップは、
前記状態に対する対処を行うか否かの確認として、所定の連絡先への連絡の可否を確認する
請求項８に記載の表示方法。
【請求項１０】
前記表示ステップは、さらに、
異常が発生している可能性があることを示す状態レベルが存在する場合、当該状態レベルの施設に訪問可能な訪問者に関する情報を、前記表示部に表示する
請求項１〜９のいずれか一項に記載の表示方法。
【請求項１１】
コンピュータに、
請求項１〜１０のいずれか一項に記載の表示方法を、
実行させるためのプログラム。
【請求項１２】
情報端末の表示部に情報を表示する表示システムであって、
複数の施設のそれぞれについて、当該施設の情報に基づいて得られる当該施設内の人の状態の度合を表す状態レベルを前記表示部に表示する表示制御部を
備える表示システム。
【発明の詳細な説明】
【技術分野】
【０００１】
本発明は、表示方法、プログラム及び表示システムに関し、より詳細には、施設に係る情報を表示する表示方法、プログラム及び表示システムに関する。
【背景技術】
【０００２】
従来、住戸の住人（施設内の人）を離れた場所からでも見守ることができるシステムがある（例えば、特許文献１）。
【０００３】
特許文献１で記載されたシステムでは、見守り対象者宅に設けられたワイヤレスセンサの検知結果から得られる生活状況データをメールで、見守り者や、見守り対象者宅に訪問する訪問者に送信する。これにより、見守り者や訪問者は、見守り対象者の生活状態等を把握することができる。
【先行技術文献】
【特許文献】
【０００４】
【特許文献１】特開２００４−２９５２３２号公報
【発明の概要】
【発明が解決しようとする課題】
【０００５】
近年、マンション等の集合住宅や特定の地域における複数の住戸の住人（施設内の人）を一括して見守りたいという要望がある。上述した特許文献１のシステムでは、１つの見守り対象者宅から見守り者や訪問者に見守り対象者の生活状態等のデータ（メール）が送信される。見守り者や訪問者は、受信したメールの内容を確認することで、見守り対象者の生活状況等を確認することができる。ところで、見守り者（訪問者）が複数の見守り対象者を見守る場合には、対象者ごとに、メールの内容の表示を切り替える必要があり、操作が煩わしい。そのため、複数の見守り対象者の状態を簡単に確認することができない。
【０００６】
そこで、本発明は上記事由に鑑みてなされており、複数の施設の各々の施設内の人に係る情報をより簡単に確認することができる表示方法、コンピュータ及び表示システムを提供することを目的とする。
【課題を解決するための手段】
【０００７】
本発明に係る一態様の表示方法は、情報端末の表示部に情報を表示する。前記表示方法は、表示ステップを含む。前記表示ステップは、複数の施設のそれぞれについて、当該施設の情報に基づいて得られる当該施設内の人の状態の度合を表す状態レベルを前記表示部に表示する。
【０００８】
本発明に係る一態様のプログラムは、コンピュータに、前記表示方法を実行させるためのプログラムである。
【０００９】
本発明に係る一態様の表示システムは、情報端末の表示部に情報を表示する。前記表示システムは、表示制御部を備える。前記表示制御部は、複数の施設のそれぞれについて、当該施設の情報に基づいて得られる当該施設内の人の状態の度合を表す状態レベルを前記表示部に表示する。
【発明の効果】
【００１０】
この発明によると、複数の施設の各々の施設内の人に係る情報をより簡単に確認することができる。
【図面の簡単な説明】
【００１１】
【図１】図１は、本発明の一実施形態に係る表示システム（サーバ）の構成を示すブロック図である。
【図２】図２は、同上の表示システムを含むコンピュータシステムのシステム構成図である。
【図３】図３は、本発明の一実施形態に係るローカル装置の構成を示すブロック図である。
【図４】図４は、本発明の一実施形態に係る情報端末の構成を示すブロック図である。
【図５】図５Ａは、本発明の一実施形態に係る状態表示画面の一例を示す図である。図５Ｂは、本発明の一実施形態に係る状態表示画面の別の例を示す図である。
【図６】図６は、本発明の一実施形態に係る問い合わせ画面の一例を示す図である。
【図７】図７Ａ〜図７Ｃは、本発明の一実施形態に係る情報端末の表示部で表示する画面の変形例を説明する図である。
【図８】図８は、本発明の一実施形態に係る情報端末の表示部で表示する訪問情報画面の一例を示す図である。
【発明を実施するための形態】
【００１２】
以下に説明する実施形態及び変形例は、本発明の一例に過ぎず、本発明は、実施形態及び変形例に限定されることなく、この実施形態及び変形例以外であっても、本発明に係る技術的思想を逸脱しない範囲であれば、設計等に応じて種々の変更が可能である。
【００１３】
（実施形態）
本実施形態に係る表示方法、プログラム及び表示システムについて説明する。
【００１４】
（１）全体概要
本実施形態では、施設に設けられた負荷機器に関する情報に基づいて当該施設内の人の状態を表示する機能を、基本的な機能として有する表示システムについて説明する。
【００１５】
本実施形態においては、コンピュータシステムが備える表示システム１０は、図１、図２に示すように、情報端末３に表示するコンテンツを作成するサーバ１にて構成される。本実施形態において、「施設」は、電力の需要家の施設を意味しており、電力会社等の電気事業者から電力の供給を受ける施設だけでなく、太陽光発電設備等の自家発電設備から電力の供給を受ける施設も含む。本実施形態では、集合住宅５ａの各住戸を施設５の一例として説明する。
【００１６】
ローカル装置４０は、図２に示すように、施設５に設けられた計測システム２０から施設５における電力の消費データ（消費電力量）を取得する。具体的には、計測システム２０は、施設５における複数の分岐回路７０の各々について、消費電力量を消費データとして計測するシステムである。施設５における複数の分岐回路７０の各々には負荷機器５０が接続されている。負荷機器５０は、例えば施設５に設けられた機器であり、電力を消費する電気機器である。負荷機器５０は、例えば炊飯器、空調機器、照明器具、洗濯機、食器洗浄機、給湯機、調理家電等である。なお、本実施形態では、負荷機器５０の各々は、ＥＣＨＯＮＥＴ  Ｌｉｔｅ（登録商標）に準拠した通信インタフェースを有しており、ローカル装置４０と通信可能である。
【００１７】
サーバ１は、図２に示すように、施設５ごとに設けられた計測システム２０にネットワーク４を介して接続される。計測システム２０は、施設５における複数の分岐回路の各々について、消費電力と消費電力量との少なくとも一方を計測値として計測するシステムである。
【００１８】
また、サーバ１は、図２に示すように、表示部３１を備える情報端末３にネットワーク４を介して接続される。情報端末３は、表示システム１０（サーバ１）で出力された情報（コンテンツ）を表示部３１に表示する。これにより、情報端末３は、表示システム１０で作成された情報（複数の施設５のそれぞれについて当該施設５内の人の状態を表す情報）を、情報端末３の所有者である顧客に対して提示することが可能となる。つまり、顧客は、情報端末３に表示される画面を見ることで、視覚的に、複数の施設５にそれぞれ対応する当該施設５内の人の状態を確認することができる。ここで、顧客は、例えば、集合住宅５ａの管理人、警備会社の警備員、施設５内の人の家族、親戚等である。
【００１９】
（２）構成
次に、本実施形態に係る表示システム１０、計測システム２０、ローカル装置４０及び情報端末３の構成について説明する。
【００２０】
（２．１）計測システム
まず、本実施形態の計測システム２０の構成について説明する。
【００２１】
計測システム２０は、図２に示すように、計測ユニット２１と、通信アダプタ２２と、電流センサ２３，２４とを備えている。このうち、計測ユニット２１、通信アダプタ２２、及び電流センサ２３，２４は、分電盤６のキャビネット内に配置されている。分電盤６は、系統電源９に電気的に接続される主幹ブレーカ６１と、主幹ブレーカ６１の二次側に電気的に接続された複数の分岐ブレーカ６２とをキャビネット内に備えている。
【００２２】
計測ユニット２１は、電流センサ２３，２４に電気的に接続されている。電流センサ２３は、主幹ブレーカ６１の一次側に設けられ、幹線を流れる電流の値を計測する。複数の電流センサ２４は、複数の分岐ブレーカ６２に対応して設けられ、複数の分岐回路７０に流れる電流の値をそれぞれ計測する。ここでいう「分岐回路」は、複数の分岐ブレーカ６２にて幹線から分岐された各回路を意味する。分岐回路７０には、分岐ブレーカ６２に接続される配線、照明器具や調理家電等の負荷機器５０、コンセント（アウトレット）、壁スイッチ等を含んでいる。このような分岐回路７０は、本実施形態のように集合住宅の住戸からなる施設５においては、例えばリビング、寝室、玄関、トイレ、子供部屋、キッチン等の部屋ごと、かつ空調機器、照明器具、調理家電等の機器の種類ごとに設けられる。１つの分岐回路７０には、１つの負荷機器５０が含まれてもよいし、複数の負荷機器５０が含まれてもよい。
【００２３】
計測ユニット２１は、電流センサ２３，２４の出力を用いて、幹線及び複数の分岐回路７０の各々について、消費電力と消費電力量との少なくとも一方を計測する。通信アダプタ２２は、計測ユニット２１で計測された計測値を、計測システム２０の計測値として施設５に設けられたローカル装置４０へ送信する。
【００２４】
要するに、計測システム２０の計測値は、施設５における複数の分岐回路７０の各々について、計測ユニット２１で計測される消費電力と消費電力量との少なくとも一方を含んでいる。つまり、計測値は、瞬時電力を表す消費電力であってもよいし、あるいは一定時間における電力の消費量（使用量）を表す消費電力量であってもよい。また、計測値は、消費電力と消費電力量との両方であってもよい。本実施形態では一例として、計測値は、消費電力を一定時間（例えば正時から３０分間隔）で積算した消費電力量である。
【００２５】
（２．２）表示システム
次に、本実施形態の表示システム１０の構成について説明する。
【００２６】
表示システム１０は、上述したように、本実施形態ではサーバ１にて構成されている。サーバ１は、情報端末３及びローカル装置４０にネットワーク４を介して接続される。
【００２７】
サーバ１は、計測システム２０で計測された消費電力量を、少なくとも分岐ブレーカ６２（分岐回路７０）ごとに時系列データとしてローカル装置４０を介して取得する。サーバ１は、所定のアルゴリズムに従って分岐ブレーカ６２（分岐回路７０）ごとに取得した消費電力量のうち特定の負荷機器５０（ここでは、炊飯器）の消費電力を用いて、施設５内の人の状態を取得する。
【００２８】
サーバ１は、図１に示すように、記憶部１１と、処理部１２と、通信部１３とを備える。サーバ１は、ＣＰＵ（Central Processing Unit）及びメモリを有している。ＣＰＵがメモリに格納されているプログラムを実行することにより、処理部１２の機能を実現する。プログラムは、ここではインターネット等の電気通信回線を通じて、あるいはメモリカード等の記録媒体に記録されて提供されるが、コンピュータのメモリに予め記録されていてもよい。
【００２９】
記憶部１１は、ＲＯＭ（Read Only Memory）、ＲＡＭ（Random Access Memory）、またはＥＥＰＲＯＭ（Electrically Erasable Programmable Read Only Memory）等から選択されるデバイスで構成される。記憶部１１は、計測システム２０から取得した複数の施設５における消費電力量（計測値）の情報を、対応する施設５ごとに記憶する。
【００３０】
処理部１２は、図１に示すように、取得部１４、表示制御部１５、確認部１６及び機器制御部１７を有している。
【００３１】
取得部１４は、複数の施設５にそれぞれ対応する当該施設５内の人の状態の度合を取得する。具体的には、取得部１４は、複数の施設５のそれぞれについて、当該施設５の情報（ここでは、記憶部１１で記憶している当該施設５の炊飯器の消費電力量（計測値）の情報）に基づいて、当該施設５内の人の状態を取得する。取得部１４は、施設５における炊飯器の消費電力量が所定値以下となる時間が特定の期間を超えると、当該施設５内の人に異常が発生している可能性が高い状態であることを、当該施設５内の人の状態として取得する。取得部１４は、施設５における炊飯器の消費電力量が所定値以下となる時間が特定の期間を超えない場合には、当該施設５内の人に異常が発生している可能性が低い状態であることを、当該施設５内の人の状態として取得する。以下、施設５内の人に異常が発生している可能性が高い状態であることを、異常状態といい、施設５内の人に異常が発生している可能性が低い状態であることを正常状態という。本実施形態では、施設５内の人の状態の度合とは、異常状態であるか正常状態であるかを表す。
【００３２】
表示制御部１５は、複数の施設５のそれぞれについて、当該施設５に対応する施設５内の人の状態の度合を表す状態レベルを、情報端末３の表示部３１に表示する。表示制御部１５は、複数の施設５ごとに、当該施設５内の人に対応する状態レベルを、つまり情報端末３の表示部３１に表示する画面（コンテンツ）を作成する。例えば、表示制御部１５は、状態レベルに応じたピクトサインを、施設５ごとに作成する。つまり、状態レベルに応じて表示態様が異なるピクトサインが施設５ごとに作成される。
【００３３】
確認部１６は、状態レベルで表される状態に対する対処を行うか否かを確認する。例えば、確認部１６は、複数の施設５のうち特定の施設５内の人（特定の人）の状態に対する対処を行うか否かの情報（確認情報）を情報端末３から受信する。確認部１６は、情報端末３から受信した確認情報に基づいて、特定の人の状態に対して対処の有無を確認する。確認部１６は、例えば特定の人の状態に対して対処する旨の確認情報を情報端末３から受信すると、予め記憶された連絡先（例えば、特定の人の家族または親戚）に対して、メールの送信、プッシュ通知等を行う。なお、メールの送信、プッシュ通知等の送信先は、集合住宅５ａを警備対象として契約している警備会社であってもよい。
【００３４】
機器制御部１７は、施設５に設けられた負荷機器５０を制御するための情報を出力する。例えば、機器制御部１７は、負荷機器５０の制御内容の実行の指示（実行指示）を情報端末３から受け付けると、制御内容に基づいて制御するための情報を制御対象である負荷機器５０に、ローカル装置４０を介して出力する。ここで、ローカル装置４０は、ＨＥＭＳ（home energy management system）のローカル装置であり、さらに、複数の負荷機器５０と通信可能である。
【００３５】
通信部１３は、ネットワーク４に接続されることで、サーバ１と情報端末３との間、及びサーバ１とローカル装置４０との間の通信を可能にする。
【００３６】
（２．３）ローカル装置
次に、本実施形態のローカル装置４０の構成について説明する。
【００３７】
ローカル装置４０は、上述したように、ＨＥＭＳのローカル装置であり、施設５ごとに設けられている。
【００３８】
ローカル装置４０は、図３に示すように、処理部４１と、第１通信部４２と、第２通信部４３と、記憶部４４とを備える。ローカル装置４０は、ＣＰＵ及びメモリを有している。ＣＰＵがメモリに格納されているプログラムを実行することにより、処理部４１の機能を実現する。プログラムは、ここではインターネット等の電気通信回線を通じて、あるいはメモリカード等の記録媒体に記録されて提供されるが、コンピュータのメモリに予め記録されていてもよい。
【００３９】
処理部４１は、計測システム２０から施設５の消費電力量の情報を取得し、取得した施設５の消費電力量を記憶部４４に記憶する。処理部４１は、記憶部４４に記憶している施設５の消費電力量を定期的にサーバ１に送信する。処理部４１は、サーバ１から負荷機器５０を制御するための情報を受信すると、制御対象である負荷機器５０に送信する。
【００４０】
第１通信部４２は、計測システム２０の通信アダプタ２２及び負荷機器５０と無線で通信を行うための通信インタフェースである。第１通信部４２は、例えば、無線局の免許が不要な小電力無線の通信インタフェースである。この種の小電力無線については、用途等に応じて使用する周波数帯域や空中線電力等の仕様が各国で規定されている。日本国においては、９２０ＭＨｚ帯または４２０ＭＨｚ帯の電波を使用する小電力無線（特定小電力無線）が規定されている。第１通信部４２は、無線通信により通信アダプタ２２から幹線及び複数の分岐回路７０の各々の計測値（消費電力量）を受け取る。第１通信部４２は、無線通信により負荷機器５０を制御するための情報を、制御対象の負荷機器５０に送信する。
【００４１】
第２通信部４３は、例えばイーサネット（登録商標）規格に準拠した通信インタフェースである。第２通信部４３は、ルータ７及びネットワーク４を介してサーバ１と通信可能である。
【００４２】
記憶部４４は、ＲＯＭ、ＲＡＭ、またはＥＥＰＲＯＭ等から選択されるデバイスで構成される。記憶部４４は、計測システム２０から取得した施設５における消費電力量（計測値）の情報を記憶する。
【００４３】
（２．４）情報端末
次に、本実施形態の情報端末３の構成について説明する。
【００４４】
情報端末３は、一例として表示部３１を備えるスマートフォンである。情報端末３は、図４に示すように、表示部３１の他、処理部３２と、通信部３３と、入力部３４と、記憶部３５とを備える。情報端末３は、ＣＰＵ及びメモリを有しており、ＣＰＵがメモリに格納されているプログラムを実行することにより、コンピュータを処理部３２として機能させる。プログラムは、ここではインターネット等の電気通信回線を通じて、あるいはメモリカード等の記録媒体に記録されて提供されるが、コンピュータのメモリに予め記録されていてもよい。
【００４５】
表示部３１は、例えば液晶ディスプレイや有機ＥＬ（electroluminescence）ディスプレイのような薄型のディスプレイ装置である。
【００４６】
処理部３２は、表示部３１に表示する画面を作成し、表示部３１を制御することにより、作成した画面を表示部３１に表示する機能を持つ。つまり、情報端末３は、専用のアプリケーションソフトをインストールし、このアプリケーションソフトを起動することにより、表示部３１を制御するための処理部３２としての機能を実現する。
【００４７】
また、処理部３２は、施設５に備えられた負荷機器５０を操作する機能を持つ。例えば、処理部３２は、入力部３４で受け付けた顧客（情報端末３の所有者）の操作により、空調機器の電源をオンにする指示を、サーバ１及びローカル装置４０を介して空調機器に送信する。
【００４８】
通信部３３は、ネットワーク４に接続されることで、情報端末３とサーバ１（表示システム１０）との間の通信を可能にする。ここでは、情報端末３はスマートフォンであるから、通信部３３は、通信事業者が提供する携帯電話網（キャリア網）を介して、例えばインターネットからなるネットワーク４に接続される。携帯電話網には、例えば３Ｇ（第３世代）回線、ＬＴＥ（Long Term Evolution）回線等がある。なお、通信部３３は、公衆無線ＬＡＮ（Local Area Network）を介してネットワーク４に接続されてもよい。
【００４９】
入力部３４は、情報端末３の所有者の操作を受け付ける機能を有している。本実施形態では、情報端末３はタッチパネルディスプレイを搭載したスマートフォンであり、タッチパネルディスプレイが表示部３１及び入力部３４として機能する。そのため、以下の説明では、表示部３１に表示される画面上のボタンに対する種々のタッチ操作を、「タップ」等と表現する。ただし、入力部３４は、タッチパネルディスプレイに限らず、例えばキーボードやポインティングデバイス、メカニカルなスイッチ等であってもよい。
【００５０】
記憶部３５は、例えばフラッシュメモリ等の電気的に書換可能な不揮発性の半導体メモリで構成される。
【００５１】
情報端末３は、上記構成によりサーバ１で出力された画面（コンテンツ）を表示することができる。
【００５２】
（３）動作説明
以下、本実施形態に係る表示システムの動作について説明する。
【００５３】
本実施形態に係るプログラムは、情報端末３の表示部３１に、複数の施設５にそれぞれ対応する施設５内の人の状態を、対応する施設５ごとに表示するためのプログラムである。つまり、本実施形態に係るプログラムは、サーバ１のコンピュータを、取得部１４、表示制御部１５及び確認部１６として機能させるためのプログラムである。
【００５４】
取得部１４は、記憶部１１で記憶している施設５ごとの消費電力量（炊飯器の消費電力量）に基づいて、複数の施設５にそれぞれ対応する当該施設５内の人の状態を取得する。具体的には、取得部１４は、施設５における炊飯器の消費電力量が所定値以下となる時間が特定の期間を超えると、施設５内の人の状態として異常状態を取得する。取得部１４は、施設５における炊飯器の消費電力量が所定値以下となる時間が特定の期間を超えない場合には、施設５内の人の状態として正常状態を取得する。
【００５５】
表示制御部１５は、複数の施設５内の複数の人にそれぞれ対応する複数の状態に基づいて、表示部３１に表示する画面のデータを作成する。具体的には、表示制御部１５は、施設５ごとに当該施設５内の人の状態の状態レベルを表すピクトサインを作成する。また、表示制御部１５は、作成したピクトサイン（状態レベル）ごとに、対応する施設５に関連する関連情報を対応付ける。ここで、関連情報は、例えば複数の施設５の各々に割り当てられた部屋番号である。表示制御部１５は、複数の施設５にそれぞれ対応する複数のピクトサインと、複数のピクトサインにそれぞれ対応する複数の関連情報とを含む表示指示を、情報端末３へ送信する。
【００５６】
情報端末３の処理部３２は、複数のピクトサインと、複数のピクトサインにそれぞれ対応する複数の関連情報とを含む表示指示を、サーバ１から受信する。処理部３２は、複数のピクトサインと、複数のピクトサインにそれぞれ対応する複数の関連情報とを、施設５ごとに表示するよう表示部３１を制御する。なお、施設５ごとのピクトサイン及び関連情報を表示する画面（状態表示画面）の構成については、後述する。つまり、表示制御部１５は、表示指示を送信することで、複数のピクトサインと、複数のピクトサインにそれぞれ対応する複数の関連情報とを、施設５ごとに情報端末３の表示部３１に表示する。
【００５７】
処理部３２は、表示部３１で状態表示画面が表示されているときに、１つのピクトサインがタップ（選択）されると、選択されたピクトサインが示す状態に対する対処を行うか否かを問い合わせる画面（問い合わせ画面）をサーバ１に要求する。サーバ１は、要求された問い合わせ画面を作成し、情報端末３に送信する。情報端末３の処理部３２は、サーバから受け取った問い合わせ画面を表示部３１に表示する。情報端末３の所有者は、問い合わせ画面を用いて、選択されたピクトサイン（状態レベル）に応じた状態に対する対処の有無をサーバ１に指示する。処理部３２は、情報端末３の所有者によって問い合わせ画面上で操作が行われると、操作に応じた確認情報をサーバ１に送信する。
【００５８】
確認部１６は、確認情報を情報端末３から受信すると、受信した確認情報に基づいて特定の人（特定の施設５内の人）の状態に対する対処の有無を確認する。確認部１６は、特定の人の状態に対して対処を行う場合には、特定の人の家族、親戚、または警備会社に対して、メールの送信、プッシュ通知等により特定の人の状態を通知する。
【００５９】
（４）画面
ここでは、表示部３１で表示する画面について説明する。
【００６０】
（４．１）状態表示画面
まず、状態表示画面１００について、図５Ａを用いて説明する。
【００６１】
図５Ａの参照符号及び領域を囲む一点鎖線は、説明のために記載しているのみであり、実際の画面には表示されない。以下、図５Ｂ〜図８においても同様である。
【００６２】
状態表示画面１００は、図５Ａに示すように、状態表示領域１０１と、スクロールバーＢ１を表示するための領域１０２とを含んでいる。
【００６３】
状態表示領域１０１は、複数の施設５にそれぞれ対応する複数のピクトサイン及び複数の関連情報を表示するための領域である。
【００６４】
図５Ａに示す状態表示領域１０１は、すべてのピクトサイン及びすべての関連情報を表示するためのサイズ（表示領域）を有していない。そのため、状態表示領域１０１には、一部のみが表示されたピクトサイン及び関連情報が含まれている。状態表示領域１０１において表示されているピクトサイン１０３ａ，１０３ｂは、対応する施設５内の人の状態の状態レベルを表している。例えば、ピクトサイン１０３ａは、施設５（部屋番号“１０１”，“１０２”，“１０３”，“２０１”，“２０３”）内の人の状態が正常状態であることを表している。ピクトサイン１０３ｂは、対応する施設５（部屋番号“２０２”）内の人の状態が異常状態であることを表している。このように、異常状態、正常状態といった２つのレベルにレベル分けされた状態を、表示態様の異なるピクトサインで表示部３１に表示することができる。
【００６５】
領域１０２では、上述したように、スクロールバーＢ１が表示される。情報端末３の所有者は、スクロールバーＢ１を操作することで、状態表示領域１０１に表示するピクトサインの範囲を変更することができる。
【００６６】
なお、状態が異常状態である施設５内の人が存在する場合、図５Ｂに示すように、異常状態であると判断した理由を表示する画面１１０が状態表示画面１００の上に重ねられて表示部３１に表示させてもよい。これにより、情報端末３の所有者は、状態が異常状態である施設５内の人の存在の有無と、異常状態であると判断した理由を一目で知ることができる。
【００６７】
（４．２）問い合わせ画面
次に、問い合わせ画面１５０について、図６を用いて説明する。
【００６８】
状態表示画面１００において異常状態であるピクトサインが表示された領域（図５Ａに示す領域１０４）内をタップ（選択）すると、問い合わせ画面１５０が、状態表示画面１００の上に重ねられて表示される。問い合わせ画面１５０は、図６に示すように、メッセージ領域１５１と、第１確認ボタン領域１５２と、第２確認ボタン領域１５３とを含んでいる。
【００６９】
メッセージ領域１５１には、異常状態であると判断した理由、及び選択されたピクトサインに対応する施設５内の人の状態を連絡する連絡先名（施設５内の家族、親戚、または警備会社等の名前）が表示される。連絡先名は、連絡先のメールアドレス、連絡先の情報端末３を識別する情報（例えば、電話番号）等に対応付けられて、施設５ごとに予め記憶部１１に記載されている。表示制御部１５は、情報端末３からの要求により、選択されたピクトサインに対応する施設５内（特定の施設５内）の人に対応する連絡先を含む問い合わせ画面１５０を作成し、情報端末３に送信する。これにより、表示制御部１５は、表示部３１に問い合わせ画面１５０を表示することができる。
【００７０】
第１確認ボタン領域１５２には、選択されたピクトサインで表される状態について対処する場合に選択されるボタンＢ１１が表示される。第２確認ボタン領域１５３には、選択されたピクトサインで表される状態について対処しない場合に選択されるボタンＢ１２が表示される。ボタンＢ１１がタップされると、処理部３２は、特定の施設５内の人の状態に対して対処を行うことを表す情報を確認情報として、サーバ１に送信する。ボタンＢ１２がタップされると、処理部３２は、特定の施設５内人の状態に対して対処を行わないことを表す情報を確認情報として、サーバ１に送信する。サーバ１の確認部１６は、情報端末３から受信した確認情報が特定の施設５内の人の状態に対して対処を行うことを表す場合には、連絡先に対応するメールアドレス、電話番号等を用いて、メールの送信、プッシュ通知等により特定の施設５内の人の状態を通知する。
【００７１】
（５）変形例
以下に、上記実施形態の変形例について説明する。なお、以下に説明する変形例は、上記実施形態と適宜組み合わせて適用可能である。
【００７２】
（５．１）変形例１
表示制御部１５は、表示部３１に複数の施設５の各々の施設５内の人の状態レベル（ピクトサイン）を表示する際に、すべてのピクトサインが状態表示領域１０１内に収まるように、すべてのピクトサインを表示部３１に表示してもよい。
【００７３】
この場合、情報端末３の処理部３２は、サーバ１から複数の施設５にそれぞれ対応する複数のピクトサインと、複数のピクトサインにそれぞれ対応する複数の関連情報とを含む表示指示を受け取る。処理部３２は、表示指示を受け取ると、すべてのピクトサインが表示部３１の状態表示領域１０１内に収まるように、すべてのピクトサインを表示部３１に表示する。処理部３２は、受け取ったピクトサインの個数と、状態表示領域１０１のサイズとから、１つのピクトサイン及び対応する関連情報を表示するための表示領域１２０のサイズを算出する。例えば、処理部３２は、状態表示領域１０１のサイズをピクトサインの個数で除算して、ピクトサイン１個当たりの表示領域１２０のサイズを算出する。処理部３２は、施設５ごとに、対応するピクトサイン及び関連情報が算出したサイズの表示領域１２０内で表示されるよう表示部３１を制御する。つまり、表示制御部１５は、表示指示を情報端末３に送信することで、すべてのピクトサインが状態表示領域１０１内に収まるように、すべてのピクトサインを表示部３１に表示する。
【００７４】
例えば、施設５の戸数が８戸である場合、ピクトサインの個数は８となる。処理部３２は、状態表示領域１０１のサイズを、ピクトサインの個数で除算して、ピクトサイン１個当たりの表示領域１２０のサイズを算出する。処理部３２は、施設５ごとに、対応するピクトサイン及び関連情報が算出したサイズの表示領域１２０内で表示されるよう表示部３１を制御する。図７Ａは、施設５の戸数が８戸である場合の表示例を示す。処理部３２は、ピクトサイン１個当たりの表示領域１２０のサイズを算出することで、図７Ａに示すようにすべてのピクトサインを表示部３１に表示することができる。
【００７５】
なお、図５Ａでは、一部が表示されないピクトサインが存在するが、本変形例ではすべてのピクトサインが表示される。そのため、図５ＡのようにスクロールバーＢ１を表示する必要はない。そのため、処理部３２は、表示部３１が表示する画面全体の領域を状態表示領域１０１として、ピクトサイン１個当たりの表示領域１２０のサイズを算出してもよい。
【００７６】
本変形例では、すべての状態レベル（ピクトサイン）が表示部３１の表示領域（状態表示領域１０１）内に収まるように表示されるので、情報端末３の所有者は、複数の施設５内の複数の人のそれぞれの状態を一目で把握することができる。
【００７７】
（５．２）変形例２
本変形例では、表示制御部１５は、表示部３１に複数の施設５の各々の当該施設５内の人の状態レベル（ピクトサイン）を表示する際に、すべてのピクトサインのうち異常状態であることを表す状態レベルすべてを少なくとも表示部３１に表示する。
【００７８】
この場合、情報端末３の処理部３２は、サーバ１から複数の施設５にそれぞれ対応する複数のピクトサインと、複数のピクトサインにそれぞれ対応する複数の関連情報とを含む表示指示を受け取る。処理部３２は、表示指示を受け取ると、すべてのピクトサインのうち異常状態であることを表す状態レベルすべてを表示部３１に表示する。処理部３２は、複数のピクトサインの各々が表す状態レベルと、複数のピクトサインが表示される際の配置とに基づいて、表示対象範囲を決定する。具体的には、処理部３２は、異常状態であることを表すピクトサインのすべてが状態表示領域１０１に収まるように表示対象範囲を決定する。つまり、表示制御部１５は、表示指示を情報端末３に送信することで、すべてのピクトサインのうち異常状態を表すすべてのピクトサインを表示部３１に表示させている。
【００７９】
例えば、施設５の戸数が１０戸（部屋番号が“１０１”〜“１０５”，“２０１”〜“２０５”）であり、部屋番号１０４，２０２に対応するピクトサインが異常状態であることを前提とする。また、状態表示領域１０１においてピクトサイン全体を表示できる個数が、図５Ａに示すように６個であるとする。この場合、図５Ａのように、状態表示画面１００において左端から、部屋番号が“＊０１”に対応するピクトサイン、部屋番号が“＊０２”に対応するピクトサイン、・・・の順に表示すると、部屋番号“１０４”に対するピクトサインの全体が表示されない。このとき、表示対象領域には、部屋番号が“＊０１”〜“＊０３”にそれぞれ対応するピクトサイン全体と、部屋番号が“＊０４”にそれぞれ対応するピクトサインの一部とが含まれている。
【００８０】
そこで、処理部３２は、部屋番号“＊０１”のピクトサインを表示対象領域から除外、つまり部屋番号“＊０２”に対応するピクトサインが状態表示画面１００において左端となるように表示対象領域を決定する。図７Ｂは、この場合における表示例を示す。処理部３２は、すべてのピクトサインのうち、異常状態であることを表すピクトサインすべてが少なくとも表示されるよう表示対象領域を変更することで、図７Ｂに示すように異常状態であることを表すすべてのピクトサインを表示部３１に表示することができる。
【００８１】
なお、図７Ｂでは、スクロールバーＢ１が表示されている。状態表示画面１００として異常状態であることを表すピクトサインすべてが表示されている画面（初期画面）から、表示されていない他のピクトサインを表示させたい場合には、スクロールバーＢ１を操作することで、他のピクトサインを表示することが可能となる。
【００８２】
また、スクロールバーＢ１は表示されなくてもよい。この場合、表示部３１で表示される状態表示画面は初期画面のままで固定される。
【００８３】
また、表示制御部１５は、すべての状態レベルのうち、異常状態であるすべての状態レベルのみを表示部３１に表示してもよい。
【００８４】
本変形例では、異常状態であることを表すすべての状態レベル（ピクトサイン）が表示部３１の表示領域（状態表示領域１０１）内に収まるように、すべてのピクトサインを表示している。これにより、情報端末３の所有者は、異常状態であるすべての施設５内の人を一目で把握することができる。
【００８５】
変形例１では、すべてのピクトサインを表示部３１に表示するため、表示対象のピクトサインの個数が多くなると、ピクトサイン１個当たりの表示領域１２０のサイズは小さくなる。表示領域１２０のサイズが小さくなると、どのような状態を表すピクトサインであるかの識別が困難になる可能性がある。一方、本変形例では、すべての状態レベルのうち、異常状態であるすべての状態レベルを少なくとも表示部３１に表示するので、変形例１と比較して、表示されるピクトサインのサイズは大きくなる。そのため、変形例１と比較して、どのような状態を表すピクトサインであるかの識別が困難になる可能性が低くなる。
【００８６】
また、本変形例は、変形例１と組み合わせてもよい。この場合、処理部３２は、すべてのピクトサインが状態表示領域１０１に収まらない場合には、処理部３２は、本変形例の動作を行う。例えば、処理部３２は、状態表示領域１０１のサイズをピクトサインの個数で除算して、ピクトサイン１個当たりの表示領域１２０のサイズを算出する。処理部３２は、除算結果（ピクトサイン１個当たりの表示領域１２０のサイズ）が所定のサイズよりも小さい場合には、変形例２の動作を行う。
【００８７】
（５．３）変形例３
本変形例では、表示制御部１５は、状態表示画面１００が表示されているときに、異常状態である施設５内の人の施設に関する情報（例えば、部屋番号）を状態表示画面１００上に重ねて表示部３１に表示する。
【００８８】
この場合、情報端末３の処理部３２は、サーバ１から複数の施設５にそれぞれ対応する複数のピクトサインと、複数のピクトサインにそれぞれ対応する複数の関連情報とを含む表示指示を受け取る。処理部３２は、複数のピクトサインと、複数の関連状態とを含む状態表示画面１００を表示部３１に表示する。このとき、処理部３２は、複数のピクトサインのうち異常状態を表すピクトサインが存在する場合には、異常状態である施設５内の人の施設に関する情報を含むメッセージ画面２００を、表示部３１に表示する。つまり、表示制御部１５は、表示指示を情報端末３に送信することで、すべてのピクトサインのうち異常状態を表すすべてのピクトサインを表示部３１に表示する。
【００８９】
例えば、部屋番号“１０４”，“１０５”，“２０２”の施設５内の人が異常状態である場合には、部屋番号“１０４”，“１０５”，“２０２”に異常が発生している可能性があることをメッセージ画面２００として表示部３１に表示する（図７Ｃ参照）。
【００９０】
なお、処理部３２は、状態表示画面１００から遷移してメッセージ画面２００を表示するよう表示部３１を制御してもよい。
【００９１】
変形例１では、変形例２で述べたように、表示領域１２０のサイズが小さくなると、どのような状態を表すピクトサインであるかの識別が困難になる可能性がある。また、変形例２では、異常状態を表すピクトサインの個数が多くなると、状態表示領域１０１に収まらない可能性がある。そこで、すべてのピクトサインが状態表示領域１０１に収まらず、かつ異常状態を表すすべてのピクトサインも状態表示領域１０１に収まらない場合に、本変形例を実施形態の表示システムに適用することが有効である。もちろん、変形例１，２と組み合わせることなく、本変形例のみを、実施形態の表示システムに適用してもよい。
【００９２】
（５．４）変形例４
本変形例では、表示制御部１５は、複数のピクトサインのうち異常状態を表すピクトサインが存在する場合、施設５に訪問可能な人物（会社）に係る訪問情報（例えば、電話番号）を含む訪問情報画面２５０を、表示部３１に表示する。
【００９３】
この場合、サーバ１は、施設５ごとに、訪問情報を対応付けて記憶部１１に記憶している。
【００９４】
表示制御部１５は、複数のピクトサインのうち異常状態を表す１つ以上のピクトサインが存在する場合、当該１つ以上のピクトサインにそれぞれ対応する訪問情報を、指示情報に含めて、情報端末３に送信する。
【００９５】
情報端末３の処理部３２は、指示情報を受け取ると、指示情報に含まれる複数のピクトサイン及び複数の関連情報を含む状態表示画面１００を、表示部３１に表示する。処理部３２は、指示情報に含まれる訪問情報を含む訪問情報画面２５０を生成して、状態表示画面１００上に重ねて表示部３１に表示する。
【００９６】
例えば、処理部３２は、図５Ａに示す状態表示画面１００上に、部屋番号“２０２”に対応する訪問情報を含む訪問情報画面２５０を表示部３１に表示する（図８参照）。訪問情報画面２５０には、メッセージ領域２５１が含まれている。メッセージ領域２５１において、訪問が可能な人物、警備会社の営業所等と、電話番号等の連絡先とが表示される。なお、メッセージ領域２５１において、図６のように、“○○さんに連絡しますか？「はい」、「いいえ」”のような表示形態で、訪問が可能な人物等と連絡先とが表示されてもよい。
【００９７】
上述した訪問情報画面２５０は、状態表示画面１００から遷移して表示されてもよい。
【００９８】
また、処理部３２は、表示部３１で表示している１つ以上の異常状態を表すピクトサインのうち１つのピクトサインがタップ（選択）された場合に、選択されたピクトサインに対応する施設の訪問情報画面２５０を表示するよう表示部３１を制御してもよい。この場合の訪問情報画面２５０は、状態表示画面１００上に表示されてもよいし、状態表示画面１００から遷移して表示されてもよい。
【００９９】
（５．５）その他の変形例
以下に、その他の変形例について列記する。なお、以下に説明する変形例は、上記実施形態及び変形例１〜４と適宜組み合わせて適用可能である。
【０１００】
上記実施形態及び変形例１〜４において、表示システム１０は、集合住宅５ａの各住戸（施設５）に適用される構成としたが、この構成に限定されない。表示システム１０は、特定の地域に属する複数の戸建の住宅をそれぞれ施設として適用されてもよい。また、特定の地域に属する施設として、戸建の住宅に限らず、店舗、事務所等であってもよい。
【０１０１】
上記実施形態及び変形例１〜４において、関連情報として部屋番号を用いる構成としたが、この構成に限定されない。関連情報として、施設５内の人の氏名、住所等であってもよい。特に、表示システム１０を特定の地域に属する複数の戸建の住宅に適用する場合、施設５内人の氏名、住所等を関連情報とすることは有効である。
【０１０２】
上記実施形態及び変形例１〜４において、状態レベルは、施設５内の人に異常が発生している可能性の有無を表す構成、つまり状態の度合を表す状態レベルを２段階で分類する構成としたが、この構成に限定されない。状態レベルを異常の度合に応じて複数の段階に分類してもよい。例えば、異常の度合（状態レベル）を３段階に分類する場合について説明する。取得部１４は、施設５における特定の負荷機器５０の消費電力量が所定値以下となる時間が第１の期間を超えない場合には、当該施設５内の人に異常が発生している可能性が低い状態であることを、当該施設５に対する第１の状態として取得する。取得部１４は、施設５における特定の負荷機器５０の消費電力量が所定値以下となる時間が第１の期間を超え、第２の期間を超えない場合には、当該施設５内の人に異常が発生している可能性が高い状態であることを、当該施設５に対する第２の状態として取得する。取得部１４は、施設５における特定の負荷機器５０の消費電力量が所定値以下となる時間が第２の期間を超えている場合には、当該施設５内の人に異常が発生している可能性が第２の状態よりも高い状態であることを、当該施設５に対する第３の状態として取得する。表示制御部１５は、施設５ごとに取得部１４で取得された状態に応じたピクトサインを、施設５ごとに作成する。以降の機能動作は、上記実施形態と同様であるので、ここでの説明は省略する。
【０１０３】
上記実施形態及び変形例１〜４では、状態レベルに応じてピクトサインのデザインを変更する構成としたが、この構成に限定されない。状態レベルに応じてピクトサインの形、色等を変更してもよい。つまり、状態レベルに応じて表示態様が異なっていればよい。
【０１０４】
上記実施形態及び変形例１〜４では、ピクトサインで状態レベルを表す構成としたが、この構成に限定されない。状態レベルは、ピクトサイン以外の表示形態で表されてもよい。例えば、状態レベルは、“正常”、“異常”等の文字で表されてもよい。
【０１０５】
上記実施形態及び変形例１〜４では、施設５の消費電力量に基づいて施設５内の状態を取得する構成としたが、この構成に限定されない。人感センサ、加速度センサ、マイクロフォン、振動計、温度センサ等のセンサ機器を用いて施設５内の人の状態を取得してもよい。また、センサ機器は、例えば、離床センサ、開閉センサ等を含んでもよい。例えば、施設５の利用状況は、人感センサによる人の有無や、加速度センサによる人の動き、マイクロフォンによる施設５内の音、振動計による施設５の揺れ、温度センサの温度等を用いてもよい。また、施設５の利用状況は、離床センサによる離床の有無、所定期間において離床を検知した回数、離床を検知した検知時刻等の検知結果であってもよい。また、施設５の利用状況は、開閉センサによるドア等の開閉、所定期間における開閉の回数等の検知結果であってもよい。
【０１０６】
また、上記実施形態及び変形例１〜４では、特定の負荷機器５０（炊飯器）の消費電力量を用いて施設５内の人の状態を取得する構成としたが、この構成に限定されない。施設５に設けられた複数の負荷機器５０の消費電力量を用いて施設５内の人の状態を取得してもよい。
【０１０７】
上記実施形態及び変形例１〜４において、状態レベル（ピクトサイン）で表される状態に対する対処として、確認情報に含まれる連絡先へ連絡する構成としたが、この構成に限定されない。ピクトサインで表される状態に対する対処は、特定の負荷機器５０の遠隔操作であってもよい。この場合、確認情報には、操作対象の特定の負荷機器５０の名称が含まれる。問い合わせ画面１５０のメッセージ領域１５１には、特定の負荷機器５０の操作を行うか否かを問い合わせるメッセージが表示される。例えば、特定の負荷機器５０として施設５内に設けられた空調機器である場合、問い合わせ画面１５０が表示されているときにボタンＢ１１がタップされると、空調機器を動作させる。
【０１０８】
上記実施形態及び上記変形例１〜４において、複数の施設５内の人の各々の状態を表示部３１に表示する制御は、サーバ１（表示システム１０）の処理部１２で行われる構成とした。しかしながら、この構成に限定されない。複数の施設５内の人の各々の状態を表示部３１に表示する制御に関する機能（処理部１２の機能）は、複数の装置（例えば、サーバ１、ローカル装置４０及び情報端末３のうち２以上の装置）に分散してもよい。この場合、サーバ１が省略されても、ローカル装置４０または情報端末３で、複数の施設５内の人の各々の状態を表示部３１に表示する制御に関する機能が行われ、状態表示画面１００、問い合わせ画面１５０等の画面が作成される。さらに、処理部１２の機能は、サーバ１及びローカル装置４０のそれぞれに設けられてもよい。
【０１０９】
また、上記実施形態及び上記変形例１〜４では、サーバ１は、計測システム２０から施設５の利用状況を取得している。サーバ１は、分電盤６の幹線の計測値（消費電力と消費電力量との少なくとも一方）を施設５の利用状況として取得してもよい。この場合、計測システム２０は、電流センサ２４を有さずに、電流センサ２３だけを有していてもよい。また、サーバ１は、計測システム２０の代わりに、スマートメータから施設５の利用状況を取得してもよい。また、サーバ１は、幹線又はスマートメータの消費電力（消費電力量）から、いわゆるディスアグリゲーション技術により、特定の分岐回路又は電気機器の消費電力（消費電力量）を抽出してもよい。
【０１１０】
また、上記実施形態及び上記変形例１〜４では、「施設」は、電力の需要家の施設を意味しているが、これに限定されない。例えば、表示システム１０は、水の需要家の施設に用いられてもよい。この場合、施設の利用状況は、例えば、施設での水の消費量である。また、表示システム１０は、ガスの需要家の施設に用いられる。この場合、施設の利用状況は、例えば、施設でのガスの消費量である。要するに、表示システム１０が用いられる施設は、電力、水、ガス等の資源の供給を受ける施設であればよい。
【０１１１】
上記実施形態及び変形例１〜４では、取得部１４は、施設５の消費電力量が所定値以下となる時間の長さに基づいて、施設５内の人に異常があるかどうかを判定する構成としたが、この構成に限定されない。取得部１４は、所定時間内の施設５内の人の行動回数に基づいて、施設５内の人に異常があるかどうかを判定してもよい。例えば、施設５内の複数の電気機器の特定の電気機器の使用回数の合計を施設５内の人の行動回数として用いてもよい。特定の電気機器は、例えば、施設５に設置された複数の電気機器の中でも人の生活行動に対する関連性が高い考えられる電気機器である。特定の電気機器は、例えば、照明機器や、炊飯器等である。このように、取得部１４は、施設５内の人が生活行動（日常生活動作）をしていない可能性が高い場合に、施設５内の人に異常があると判定してもよい。また、取得部１４は、施設５内の人の生活行動とは別の基準により、施設５内の人に異常があると判定してもよい。例えば、取得部１４は、施設５内で何らかのイベント（例えば、施設５内での異常音の発生）が起きたと判断した場合に、施設５内の人に異常があると判定してもよい。
【０１１２】
上記実施形態及び変形例１〜４では、表示制御部１５は、情報端末３の表示部３１に表示する画面を作成する構成としたが、この構成に限定されない。表示制御部１５は、情報端末３に所望の表示画面を表示させるための画面情報を作成してもよい。例えば、情報端末３が表示画面を表示するためのアプリケーションを有していれば、画面情報はアプリケーションと共同して表示画面を表示するためのデータであってもよい。また例えば、情報端末３のアプリケーションが表示画面の画像データの全てを有していれば、画面情報は、画像データにより表示画面を構成するためのデータであってもよい。あるいは、情報端末３のアプリケーションが表示画面の画像データの一部を有していれば、画面情報は、画像データの残りの部分であってもよい。
【０１１３】
さらに、コンピュータシステムは、１または複数のコンピュータで構成されるシステムであってもよい。つまり、表示システム１０がサーバ１で構成されることは必須ではない。例えば、表示システム１０は、サーバ１、ローカル装置４０、情報端末３のうち少なくとも１つの装置によって構成されてもよい。また、表示システム１０の少なくとも一部の機能は、例えばクラウド（クラウドコンピューティング）によって実現されてもよい。また、サーバ１、ローカル装置４０及び情報端末３の各々の機能は分散されて設けられていてもよい。
【０１１４】
上記実施形態及び上記変形例１〜４において、負荷機器５０は、ＥＣＨＯＮＥＴ  Ｌｉｔｅ（登録商標）に準拠した通信インタフェースを有しているとしたが、この構成に限定されない。負荷機器５０は、他の規格に準拠した通信インタフェースを有して、ローカル装置４０と通信可能であってもよい。または、負荷機器５０は、無線または有線によってローカル装置４０と通信可能であってもよい。
【０１１５】
（６）まとめ
以上説明したように、第１の態様の表示方法は、情報端末３の表示部３１に情報を表示する方法である。表示方法は、表示ステップを含む。表示ステップは、複数の施設５のそれぞれについて、当該施設５の情報（例えば、消費電力量やセンサ機器の検知結果）に基づいて得られる当該施設５内の人の状態の度合を表す状態レベルを表示部３１に表示する。例えば、表示ステップは、状態レベルを表すピクトサインを表示部３１に表示する。
【０１１６】
この表示方法によると、表示ステップは、複数の施設５にそれぞれに対応する複数の状態レベルを表示部３１に表示するので、複数の施設５の各々の施設５内の人に係る情報をより簡単に確認することができる。
【０１１７】
第２の態様の表示方法では、第１の態様において、状態の度合とは、施設５内の人に異常が発生している可能性の有無、または異常の度合である。この表示方法によると、情報端末３の所有者は、施設５内の人の異常の有無または度合を知ることができる。
【０１１８】
第３の態様の表示方法では、第１または第２の態様において、状態レベルは、複数の施設５のうち当該状態レベルに対応する施設５内の人の状態に応じて表示態様が異なる。この表示方法によると、情報端末３の所有者は、施設５内の人の状態を一目でチェックすることができる。
【０１１９】
第４の態様の表示方法では、第１〜第３のいずれかの態様において、表示ステップは、さらに、状態レベルに、複数の施設５のうち当該状態レベルに対応する施設５に関連する関連情報を対応付けて表示部３１に表示する。この表示方法によると、施設５内の人の状態と、施設５の関連情報を対応付けて表示することができる。例えば、各施設５が集合住宅の住戸である場合、関連情報を部屋番号とすることで、情報端末３の所有者は、住戸ごとに住戸の人の状態を一目で確認することができる。
【０１２０】
第５の態様の表示方法では、第１〜第４のいずれかの態様において、表示ステップは、複数の施設５に対して取得されたすべての状態レベルが表示部３１の表示領域内に収まるように、すべての状態レベルを表示部３１に表示する。ここで、表示領域とは、上述した状態表示領域１０１に相当する。この表示方法によると、情報端末３の所有者は、スクロール等を行うことなく、すべての施設５について施設５内の人の状態を一目で確認することができる。
【０１２１】
第６の態様の表示方法では、第１〜第４のいずれかの態様において、表示ステップは、複数の施設５に対して取得されたすべての状態レベルのうち、異常が発生している可能性があることを表す状態レベルすべてを少なくとも表示部３１に表示する。この表示方法によると、情報端末３の所有者は、異常が発生している可能性があるすべての施設５内の人を一目で把握することができる。
【０１２２】
第７の態様の表示方法では、第１〜第４のいずれかの態様において、表示ステップは、複数の施設５に対して取得されたすべての状態レベルのうち異常状態レベルが存在する場合、複数の施設５のうち異常状態レベルに対応する施設５に関する情報を表示部３１に表示する。ここで、異常状態レベルとは、異常が発生している可能性があることを示す状態レベルである。この表示方法によると、情報端末３の所有者は、異常が発生している可能性がある施設５内の人が存在することを把握することができる。
【０１２３】
第８の態様の表示方法は、第１〜第７のいずれかの態様において、状態レベルで表される状態に対する対処を行うか否かを確認する確認ステップを、さらに含む。この表示方法によると、対処の有無を確認することができる。
【０１２４】
第９の態様の表示方法では、第８の態様において、確認ステップは、状態に対する対処を行うか否かの確認として、所定の連絡先への連絡の可否を確認する。この表示方法によると、所定の連絡先へ連絡の可否を確認することができる。例えば、所定の連絡先への連絡を行う場合には、連絡先に対してメール等の送信を行うことができる。
【０１２５】
第１０の態様の表示方法では、第１〜第９のいずれかの態様において、表示ステップは、さらに、異常が発生している可能性があることを示す状態レベルが存在する場合、当該状態レベルの施設５に訪問可能な訪問者に関する情報を、表示部３１に表示する。この表示方法によると、情報端末３の所有者は、異常が発生している可能性がある施設５に訪問可能な訪問者を知ることができる。例えば、表示部３１に連絡先が表示される場合には、情報端末３の所有者は、当該訪問者に連絡するとこができる。これにより、情報端末３の所有者は、異常が発生している可能性がある施設５内の人に対する対処を訪問者に依頼することができる。
【０１２６】
第１１の態様のプログラムは、コンピュータに、第１〜第１０のいずれかの態様の表示方法を実行させるためのプログラムである。このプログラムによると、複数の施設５の各々の施設５内の人に係る情報をより簡単に確認することができる。
【０１２７】
第１２の態様の表示システム１０は、情報端末３の表示部３１に情報を表示する。表示システム１０は、表示制御部１５を備える。表示制御部１５は、複数の施設５のそれぞれについて、当該施設５の情報（例えば、消費電力量やセンサ機器の検知結果）に基づいて得られる当該施設５内の人の状態の度合を表す状態レベルを表示部３１に表示する。この構成によると、複数の施設５の各々の施設５内の人に係る情報をより簡単に確認することができる。
【符号の説明】
【０１２８】
１    サーバ
３    情報端末
５    施設
１０    表示システム
１５    表示制御部
１６    確認部
３１    表示部
【図１】
2018055292.tif 000003
【図２】
2018055292.tif 000004
【図３】
2018055292.tif 000005
【図４】
2018055292.tif 000006
【図５】
2018055292.tif 000007
【図６】
2018055292.tif 000008
【図７】
2018055292.tif 000009
【図８】
2018055292.tif 000010